(57)【要約】【課題】部品点数の削減と組立工数も削減することができる充電端子付筺体を提供する。【解決手段】卓上ホルダに装着して充電を行う電子装置１０の充電端子付筺体１１を、筐体の外部に開口して並ぶ２つの外側開口部１１ＨＦと、外側開口部１１ＨＦに対応する内部位置に設けられた内側開口部１１ＨＢと、外側開口部１１ＨＦと内側開口部１１ＨＢの各個の間を仕切るように筐体１１に埋め込まれた２枚の板金３２と、板金３２の何れか一方の面の上に設けられると共に、筐体１１の中に埋め込まれた時に、外側開口部１１ＨＦと板金３２の間と、内側開口部１１ＨＢと板金３２の間の何れか一方を止水する防水テープ３６とを用いて形成して、別部品を不要とした充電端子付筺体１１である。【選択図】図５
2014192750.tif 000002
【特許請求の範囲】
【請求項１】
充電端子付筺体の外部に開口して並ぶ２つの外側開口部と、
前記外側開口部に対応する内部位置に設けられた内側開口部と、
前記外側開口部と前記内側開口部の各個の間を仕切るように前記筐体に埋め込まれた２枚の板金と、
前記板金の何れか一方の面の上に設けられると共に、前記板金が前記筐体の中に埋め込まれた時に、前記外側開口部と前記板金の間と、前記内側開口部と前記板金の間の何れか一方を止水する防水テープとを備えることを特徴とする充電端子付筺体。
【請求項２】
前記２枚の板金には、それぞれ２箇所の取付孔が設けられており、前記防水テープは前記板金の上にそれぞれ独立して貼付され、前記防水テープには前記板金を露出させる開口部が設けられていることを特徴とする請求項１に記載の充電端子付筺体。
【請求項３】
前記２枚の板金にはそれぞれ１箇所の取付孔が設けられており、
前記防水テープは前記２枚の板金が所定距離を隔てて並ぶように、前記２枚の板金に跨って貼付されており、
前記防水テープの前記２枚の板金に貼付された部分には前記板金を露出させる開口部が設けられていることを特徴とする請求項１に記載の充電端子付筺体。
【請求項４】
前記２枚の板金は矩形状であり、
前記防水テープは前記２枚の板金が所定距離を隔てて並ぶように、前記２枚の板金に跨って貼付され、且つその一部に前記板金から延伸された延伸部を備えて貼付されており、
前記防水テープの前記延伸部に、前記板金の取付孔が設けられていると共に、前記２枚の板金に貼付された部分に前記板金を露出させる開口部が設けられていることを特徴とする請求項１に記載の充電端子付筺体。
【請求項５】
充電池と、
前記充電池に充電を行う充電回路が搭載された回路基板と、
前記回路基板の上に実装され、前記充電回路に電源を供給するバネ接点と、
重ね合されると前記充電池と前記回路基板を水密に覆う第１と第２の筐体とを備え、
前記第１と第２の筐体の何れか一方は請求項１から４の何れか１項に記載の充電端子付筐体であり、前記第１と第２の筐体が重ね合された状態で、筺体に埋め込まれた板金の内側が前記バネ接点に接続し、外側が外部に露出することを特徴とする充電端子付筐体を備える電子装置。
【発明の詳細な説明】
【技術分野】
【０００１】
本出願は、卓上ホルダに装着して充電を行う充電端子付筺体及び該筺体を備える電子装置に関する。
【背景技術】
【０００２】
屋外で使用することができる携帯型の電子装置は一般に充電池を内蔵しており、この充電池への充電は、屋内において電源用のコネクタを筺体に接続して行うか、或いは充電用の卓上ホルダに装着して行う。図１（ａ）は充電用の卓上ホルダ１に装着して充電を行う携帯型の電子装置１０の一例を示すものである。電子装置１０は、例えば携帯電話機１０であり、以後、電子装置にも携帯電話機にも同じ符号１０を付して説明する。
【０００３】
卓上ホルダ１には、携帯電話機１０の下端部１０Ｌを受け入れる凹部２があり、凹部２の中には凹部２に挿入された携帯電話機１０の下端部１０Ｌを係止するための、押え突起３と充電ピン４が突出している。押え突起３と充電ピン４は図示しないバネによって付勢されて凹部２内に突出している。このため、凹部２の中に携帯電話機１０の下端部１０Ｌが挿入されると、押え突起３と充電ピン４は下端部１０Ｌに押されて凹部２から卓上ホルダ１の内部に引っ込むようになっている。また、卓上ホルダ１の後ろ側には、図示しないＡＣアダプタから卓上ホルダ１の充電ピン４に電源を供給するためのコネクタ８が接続されている。
【０００４】
一方、卓上ホルダ１にその下端部１０Ｌを挿入して充電を行う携帯電話機１０は防水仕様であり、携帯電話機１０の下側筺体１１と上側筺体１２に挟まれた部分で、水分や塵埃を遮断する部分には、防水用の弾性部材が取り付けられている。防水用の弾性部材については後述する。また、携帯電話機１０の下側筺体１１には、カメラ５や指紋センサ６が設けられていると共に、その下端部１０Ｌには充電端子２１が露出している。カメラ５や指紋センサ６は、それぞれ独立に防水処理されている。
【０００５】
なお、携帯型の電子装置において、充電端子が電子装置の下端部に露出している場合には、特許文献１に示されるように、断面視コ字状の金属板材が使用される。断面視コ字状の金属板材には、下端部に露出する露出部と、露出部に直交する第１延出部、及び第１延出部に隣接して露出部に平行な第２延出部とがあり、第２延出部が電子装置の充電回路に接続している。
【０００６】
図１（ａ）に示した例における充電端子２１は、図１（ｂ）、（ｃ）に示すような、下側筺体１１とは別部材で作られた充電端子ホルダ２０に設けられており、充電端子２１が下側筐体に設けられた窓１０Ｗを通じて見えている。充電端子ホルダ２０は、長円柱状の本体２２を備えており、その側面には防水用のＯリング２３が周回して取り付けられている。また、頂面には２つの充電端子２１が露出しており、底面には携帯電話機に内蔵される回路基板に接続するための２つの接続端子２５と２つの取付穴２６が設けられている。２つの充電端子２１と２つの接続端子２５とは、本体２２の内部でそれぞれ接続されている。更に、充電端子ホルダ２０の底面側の側面には長手方向に爪２７が突設されているが、これは充電端子ホルダ２０の位置決め用であり、特に設ける必要はない。
【０００７】
図２(ａ)は携帯電話機１０に内蔵された回路基板１４の下端部１０Ｌの構造の一例を示すものであり、回路基板の１４の下端部側には、図１(ｃ)に示した接続端子２５に対応する位置に２つのバネ接点１５が実装されている。図２(ｂ)は回路基板１４に実装されたバネ接点１５の構造を示す側面図である。
【０００８】
また、図２（ｃ）は、図１(ａ)示した携帯電話機１０の下側部分の断面を拡大して示すものである。充電端子ホルダ２０は、その底面に設けられた取付穴２６に、回路基板１４の下端部側に実装された取付台１６に突設された取付ピン１７が差し込まれて回路基板１４の上に取り付けられる。この状態では、充電端子ホルダ２０の側面に取り付けられた防水用のＯリング２３が上側筺体１２の内部にあるフレーム部材１３に密着しており、水分や塵芥がフレーム部材１３の内部に侵入しないようになっている。そして、充電端子ホルダ２０の頂面にある充電端子２１は、本体２２の内部で連絡部２８によって充電端子ホルダ２０の底面にある接続端子２５に接続されており、接続端子２５はバネ接点１５により回路基板１４の上の回路に接続されている。
【先行技術文献】
【特許文献】
【０００９】
【特許文献１】特開２０１１−２４８８２５号公報
【発明の概要】
【発明が解決しようとする課題】
【００１０】
ところが、比較技術における充電端子を備えた電子装置では、充電端子が筐体とは別に必要であり、部品点数が増えると共に、充電端子と装置内部の回路基板とを接続する組立工数が増えるのでコストがかかるという課題がある。また、筐体外部に露出する充電端子と装置内部にある回路基板とを接続するための部材を取り付ける空間が筐体内部に必要であり、電子装置の薄型化が困難であるという課題もあった。
【００１１】
１つの側面では、本出願は、部品点数の削減を図ることができ、組立工数も削減することができる充電端子付筺体を提供することを目的とする。他の側面では、このような充電端子付筺体を備える電子装置を提供することも目的とする。
【課題を解決するための手段】
【００１２】
実施形態の一観点によれば、充電端子付筺体の外部に開口して並ぶ２つの外側開口部と、外側開口部に対応する内部位置に設けられた内側開口部と、外側開口部と内側開口部の各個の間を仕切るように筐体に埋め込まれた２枚の板金と、板金の何れか一方の面の上に設けられると共に、板金が筐体の中に埋め込まれた時に、外側開口部と板金の間と、内側開口部と板金の間の何れか一方を止水する防水テープとを備えることを特徴とする充電端子付筺体が提供される。
【００１３】
実施形態の他の観点によれば、充電池と、充電池に充電を行う充電回路が搭載された回路基板と、回路基板の上に実装され、充電回路に電源を供給するバネ接点と、重ね合されると充電池と回路基板を水密に覆う第１と第２の筐体とを備え、第１と第２の筐体の何れか一方は付記１から７の何れかに記載の充電端子付筐体であり、第１と第２の筐体が重ね合された状態で、筺体に埋め込まれた板金の内側がバネ接点に接続し、外側が外部に露出することを特徴とする充電端子付筐体を備える電子装置が提供される。
【図面の簡単な説明】
【００１４】
【図１】（ａ）は本出願が対象とする電子装置の一例の携帯電話機と、携帯電話機を充電する卓上ホルダを示す斜視図、（ｂ）は（ａ）に示した携帯電話機の下端部に内蔵される充電端子ホルダの一例を頂面がわから見た斜視図、（ｃ）は（ｂ）に示した充電端子ホルダを底面側から見た斜視図である。
【図２】（ａ）は図１（ａ）に示される携帯電話機に内蔵される回路基板の下部側の構造を示す部分斜視図、（ｂ）は（ａ）に示した回路基板のバネ接点近傍の部分拡大断面図、（ｃ）は図１（ａ）に示した携帯電話機の下端部側の部分拡大断面図である。
【図３】（ａ）は本出願が対象とする電子装置の一実施例の携帯電話機の下側筐体を内部側から見た斜視図、（ｂ）は（ａ）に示した下側筐体の下端部側を裏面側から見た部分斜視図である。
【図４】（ａ）は図３（ａ）に示した携帯電話機の下側筐体の下端部側に埋め込まれる板金の第１の実施例の平面図、（ｂ）は（ａ）に示される板金が埋め込まれた一実施例の下側筐体を備えた電子装置が卓上ホルダに装着された時の、充電ピンから回路基板までの接続を示す部分拡大断面図、（ｃ）は（ａ）に示される板金が上下逆に埋め込まれた実施例の下側筺体を備えた電子装置が卓上ホルダに装着された時の、充電ピンから回路基板までの接続を示す部分拡大断面図である。
【図５】（ａ）は図３（ａ）に示した携帯電話機の下側筐体の下端部側に埋め込まれる板金の第２の実施例の平面図、（ｂ）は（ａ）に示される板金が埋め込まれた一実施例の下側筐体を備えた電子装置が卓上ホルダに装着された時の、充電ピンから回路基板までの接続を示す部分拡大断面図である。
【図６】（ａ）は図５（ａ）に示した第２の実施例の板金をインサート雄金型に取り付ける状態を説明する断面図、（ｂ）は図５（ａ）に示した第２の実施例の板金がインサート金型に装着された状態を示す断面図である。
【図７】（ａ）は図３（ａ）に示した携帯電話機の下側筐体の下端部側に埋め込まれる板金の第３の実施例の平面図、（ｂ）は（ａ）に示した第３の実施例の板金をインサート金型の取付ピンに取り付ける状態を説明する組立斜視図、（ｃ）は（ｂ）に示した第３の実施例の板金がインサート金型の取付ピンに取り付けられた後に剥離紙を除去する様子を説明する斜視図である。
【図８】（ａ）は本出願が対象とする電子装置の別の実施例の下側筐体を外部側から見た部分拡大斜視図、（ｂ）は（ａ）に示した下側筺体の下端部側の断面図である。
【発明を実施するための形態】
【００１５】
以下、添付図面を用いて本出願の実施の形態を、具体的な実施例に基づいて詳細に説明する。なお、以下で説明する実施例においても、本出願が対象とする電子装置１０は携帯電話機１０として説明する。また、図１（ａ）、（ｂ）及び図２（ａ）〜（ｃ）で説明した携帯電話機１０と同じ部材には同じ符号を付して説明する。更に、板金には代表符号３０を付し、各実施例の板金には個別に符号を付して説明する。
【００１６】
図３（ａ）は本出願の一実施例の携帯電話機１０の下側筐体１１を内側から見たものであり、図３（ｂ）は図３（ａ）に示した下側筐体１１の下端部１１Ｌの部分だけを外側から見たものである。下側筐体１１にはカメラ用の孔５Ａ、指紋センサ用の孔６Ａ等の孔が設けられていると共に、内側の中央部には内部の部品を水分や塵芥から遮断する弾性部材７が環状に取り付けられている。弾性部材７は連続体であり、一般にゴム類で作られる。弾性部材７は下側筐体１１が図示を省略した上側筐体と合された時に、図示を省略したフレーム部材と密着して、フレーム部材側への水や塵埃の侵入を防止する。
【００１７】
下側筐体１１の下端部１１Ｌの中央部には、後述する２枚の板金３０が埋め込まれており、下端部１１Ｌに埋め込まれた板金３０に重なる外側の面には充電端子用の穴１１ＨＦが設けられており、内側の面には接続端子用の穴１１ＨＢが設けられている。そして、充電端子用の穴１１ＨＦからは板金３０の表側の面３０Ａが露出しており、接続端子用の穴１１ＨＢからは板金３０の裏側の面３０Ｂが露出している。
【００１８】
図４（ａ）は、図３（ａ）に示した携帯電話機１０の下側筐体１１の下端部１１Ｌの中央部に埋め込まれる板金３０の、第１の実施例の板金３１を示している。第１の実施例の板金３１は矩形状であり、両端部の一部が延伸されて形成された延伸部３１Ｅに取付孔３５が設けられている。そして、板金３１の一方の面３１Ａの上には、熱を加えると活性化して止水部材となる熱活性テープ３６が貼付されており、中央部に板金３１を露出させるための開口部３６Ａがある。他方の面３１Ｂには何も貼付されていない。第１の実施例の板金３１は、インサート成形により下側筺体１１の成形時に下側筺体１１の肉厚部に埋め込まれる。インサート成形により下側筺体１１を成形する工程については後述する。
【００１９】
図４（ｂ）は、図４（ａ）に示した第１の実施例の板金３１が２枚、下側筐体１１に埋め込まれた状態を示すものである。更に、図４（ｂ）では第１の実施例の板金３１が埋め込まれた下側筐体１１を備えた携帯電話機１０が、図１（ａ）に示した卓上ホルダ１に装着された時の、充電ピン４から回路基板１４までの接続を示している。下側筐体１１の板金３１が埋め込まれた部分の、外側の面には充電端子用の穴１１ＨＦが設けられており、内側の面には接続端子用の穴１１ＦＢが設けられている。そして、充電端子用の穴１１ＦＦの周囲の下側筺体１１には熱活性テープ３６が位置しており、充電端子用の穴１１ＦＦに侵入した水や塵埃が内部に入らないように遮断している。また、充電端子用の穴１１ＦＦを通じて板金３１の表側の面３１Ａが外部に露出し、接続端子用の穴１１ＦＢを通じて板金３１の裏側の面３１Ｂが内部に露出している。
【００２０】
更に、第１の実施例の板金３１が埋め込まれた下側筐体１１を備えた携帯電話機１０では、内蔵の回路基板１４に実装されたバネ接点１５が、接続端子用の穴１１ＦＢを通じて板金３１の裏側の面３１Ｂに接触している。また、第１の実施例の板金３１が埋め込まれた下側筐体１１を備えた携帯電話機１０が卓上ホルダ１に装着された場合には、充電端子用の穴１１ＦＦを通じて卓上ホルダ１にある充電ピン４が板金３１の表側の面３１Ａに接触している。
【００２１】
図４（ｃ）は、図４（ａ）に示した第１の実施例の板金３１が２枚、図４（ｂ）に示した状態とは上下が逆の状態で下側筐体１１に埋め込まれた状態を示すものである。従って、図４（ｃ）に示す状態は、板金３１に対する熱活性テープ３６が位置が接続端子用の穴１１ＦＢの周囲である点を除いて図４（ｂ）に示した状態と同じである。従って、同じ構成部材には同じ符号を付してその説明を省略する。
【００２２】
図５（ａ）は、図３（ａ）に示した携帯電話機１０の下側筐体１１の下端部１１Ｌの中央部に埋め込まれる板金３０の、第２の実施例の板金３２を示している。第２の実施例の板金３２も矩形状であり、隣接する辺から最も遠い端部の一部が延伸されて形成された延伸部３２Ｅに取付孔３５が設けられている。そして、板金３２の一方の面３２Ａの上には、熱を加えると活性化して止水部材となる熱活性テープ３６が、２枚の板金３２に跨って貼付されているが、他方の面３２Ｂには何も貼付されていない。熱活性テープ３６の２枚の板金３２の上に位置する部分には、板金３２を露出させるための開口部３６Ａがそれぞれ設けられている。第２の実施例の板金３２もインサート成形により下側筺体１１の成形時に下側筺体１１の肉厚部に埋め込まれる。インサート成形により下側筺体１１を成形する工程については後述する。
【００２３】
図５（ｂ）は、図５（ａ）に示した第２の実施例の板金３２が２枚、下側筐体１１に埋め込まれた状態を示すものである。更に、図５（ｂ）では第２の実施例の板金３２が埋め込まれた下側筐体１１を備えた携帯電話機１０が、図１（ａ）に示した卓上ホルダ１に装着された時の、充電ピン４から回路基板１４までの接続を示している。下側筐体１１の板金３２が埋め込まれた部分の、外側の面には充電端子用の穴１１ＦＦが設けられており、内側の面には接続端子用の穴１１ＦＢが設けられている。そして、充電端子用の穴１１ＦＦの周囲の下側筺体１１には熱活性テープ３６が位置しており、充電端子用の穴１１ＦＦに侵入した水や塵埃が内部に入らないように遮断している。また、充電端子用の穴１１ＦＦを通じて板金３２の表側の面３２Ａが外部に露出し、接続端子用の穴１１ＦＢを通じて板金３２の裏側の面３２Ｂが内部に露出している。
【００２４】
更に、第２の実施例の板金３２が埋め込まれた下側筐体１１を備えた携帯電話機１０では、内蔵の回路基板１４に実装されたバネ接点１５が、接続端子用の穴１１ＦＢを通じて板金３２の裏側の面３２Ｂに接触している。また、第２の実施例の板金３２が埋め込まれた下側筐体１１を備えた携帯電話機１０が卓上ホルダ１に装着された場合には、充電端子用の穴１１ＦＦを通じて卓上ホルダ１にある充電ピン４が板金３２の表側の面３２Ａに接触している。
【００２５】
ここで、図６（ａ）、（ｂ）により、第２の実施例の板金３２をインサート金型４０を用いたインサート成形によって、下側筺体１１を製造する時に内部に埋め込む工程について説明する。図６（ａ）は、図５（ａ）に示した第２の実施例の板金３２を、雄金型４１に取り付ける状態を説明するものである。雄金型４１には、板金３２の取付孔３５に挿通される位置決め突起４３が、板金３２に設けられた取付孔３５の数に応じて設けられている。また、雄金型４１には、射出された樹脂を下側筺体１１の形状にするためのコア４４と、位置決め突起４３に板金３２が取り付けられた時に、板金３２の裏側の面３２Ｂに密着して接続端子用の穴１１ＦＢを形成する接続端子形成突部４５がある。
【００２６】
図６（ｂ）は、図６（ａ）に示した雄金型４１に第２の実施例の板金３２が取り付けられた状態で、雄金型４１の上に雌金型４２が組み付けられてインサート金型４０となった状態を示すものである。なお、図６（ｂ）には雄金型４１と雌金型４２の位置合わせを行うガイドピンの図示は省略してある。雌金型４２には、雄金型４１との対向面に、射出された樹脂を下側筺体１１の形状にするためのキャビティ４７がある。また、雄金型４１の位置決め突起４３に板金３２が取り付けられた状態で、雄金型４１に雌金型４２が組み付けられた時に、板金３２の表側の面３２Ａに密着して充電端子用の穴１１ＦＦを形成する充電端子形成突部４６が雌金型４２に設けられている。
【００２７】
更に、雌金型４２にはキャビティ４７に溶融した樹脂を送り込むための通路であるスプルー４８が設けられている。このスプルー４８に溶融した樹脂を射出する射出機のノズルが接続され、スプルー４８を通った樹脂がキャビティ４７に射出され、板金３２を包み込むように樹脂がインサート金型４０内を流れる。そして、樹脂が固まったところで、雄金型４１から雌金型４２を外すと、図５（ｂ）に示すような下側筺体１１が出来上がる。
【００２８】
図７（ａ）は、図３（ａ）に示した携帯電話機１０の下側筐体１１の下端部１１Ｌの中央部に埋め込まれる板金３０の、第３の実施例の板金３３を示している。第３の実施例の板金３３は矩形状であり、第１と第２の実施例の板金３１，３２に設けられていた延伸部は形成されていない。その代わりに、板金３３の一方の面３３Ａの上に貼付される熱活性テープ３６が、２枚の板金３３に跨って形成されると共に、長手方向の両端部が延伸されて延伸部３６Ｅが設けられ、延伸部３６Ｅに取付孔３６Ｈが設けられている。板金３３の
他方の面３２Ｂには何も貼付されていないのは前述の実施例と同様である。また、熱活性テープ３６の２枚の板金３２の上に位置する部分に、板金３２を露出させるための開口部３６Ａがそれぞれ設けられている点も同じである。第３の実施例の板金３３もインサート成形により下側筺体１１の成形時に下側筺体１１の肉厚部に埋め込まれる。
【００２９】
ところが、板金３３の一方の面３３Ａの上に貼付される熱活性テープ３６の長手方向の両端部に延伸部３６Ｅを設けただけでは、延伸部３６Ｅが柔軟であるために、２枚の板金３３を雄金型の位置決め突起４３に正しく取り付けることができない。そこで、第３の実施例では、図７（ｂ）に示すように、雄金型に取り付ける前の熱活性テープ３６の上に、所定の硬さを備えた剥離紙３７を重ね合わせている。剥離紙３７の外形は熱活性テープ３６の外形と同じであり、延伸部３７Ｅが長手方向の両端部に設けられており、この延伸部３７Ｅに取付孔３７Ｈを設けておく。取付孔３７Ｈと熱活性テープ３６の延伸部３６Ｅにある取付孔３６Ｈとは重なっている。
【００３０】
このように、熱活性テープ３６の上に、所定の硬さを備えた剥離紙３７を重ね合わせておけば、剥離紙３７の硬さにより熱活性テープ３６が変形せず、図７（ｂ）に示すように、剥離紙３７の取付孔３７Ｈを用いて板金３３を位置決め突起４３に取り付け可能である。そして、剥離紙３７の取付孔３７Ｈを用いて板金３３を位置決め突起４３に取り付けた後に、図７（ｃ）に示すように、剥離紙３７を熱活性テープ３６から剥がせば良い。ここでは、第３の実施例の板金３３が２枚、下側筐体１１に埋め込まれた状態を示す図面は省略する。
【００３１】
以上説明した実施例では、板金３０は全て下側筺体１１の平坦面に埋め込まれていたが、板金３０の取付場所は平坦面に限定されるものではない。図８（ａ）は、本出願が対象とする電子装置１０の別の実施例の下側筺体１１を外部側から見たものである。この実施例では下側筺体１１の湾曲した面に板金の表側の面３０Ａが露出している。また、図８（ｂ）は図８（ａ）に示した下側筺体１１の、板金内蔵部の断面を示すものである。このように、板金３０を用いた充電端子は、下側筺体１１の湾曲面にも設置することが可能である。また、板金３０を内蔵させる筺体は、下側筺体１１に限定されるものではなく、上側筺体１２であっても良い。
【００３２】
以上、本出願を特にその好ましい実施の形態を参照して詳細に説明した。本出願の容易な理解のために、本出願の具体的な形態を以下に付記する。
【００３３】
（付記１）  充電端子付筺体の外部に開口して並ぶ２つの外側開口部と、
前記外側開口部に対応する内部位置に設けられた内側開口部と、
前記外側開口部と前記内側開口部の各個の間を仕切るように前記筐体に埋め込まれた２枚の板金と、
前記板金の何れか一方の面の上に設けられると共に、前記板金が前記筐体の中に埋め込まれた時に、前記外側開口部と前記板金の間と、前記内側開口部と前記板金の間の何れか一方を止水する防水テープとを備えることを特徴とする充電端子付筺体。
（付記２）  前記２枚の板金には、それぞれ２箇所の取付孔が設けられており、前記防水テープは前記板金の上にそれぞれ独立して貼付され、前記防水テープには前記板金を露出させる開口部が設けられていることを特徴とする付記１に記載の充電端子付筺体。
（付記３）  前記２枚の板金にはそれぞれ１箇所の取付孔が設けられており、
前記防水テープは前記２枚の板金が所定距離を隔てて並ぶように、前記２枚の板金に跨って貼付されており、
前記防水テープの前記２枚の板金に貼付された部分には前記板金を露出させる開口部が設けられていることを特徴とする付記１に記載の充電端子付筺体。
（付記４）  前記２枚の板金は矩形状であり、
前記防水テープは前記２枚の板金が所定距離を隔てて並ぶように、前記２枚の板金に跨って貼付され、且つその一部に前記板金から延伸された延伸部を備えて貼付されており、
前記防水テープの前記延伸部に、前記板金の取付孔が設けられていると共に、前記２枚の板金に貼付された部分に前記板金を露出させる開口部が設けられていることを特徴とする付記１に記載の充電端子付筺体。
（付記５）  前記防水テープは熱活性テープであることを特徴とする付記１から４の何れかに記載の充電端子付筺体。
【００３４】
（付記６）  前記板金はインサート成型によって前記筐体に埋め込まれていることを特徴とする付記１から５の何れかに記載の充電端子付筺体。
（付記７）  前記筐体の前記板金の埋め込み部分が所定の方向にだけ湾曲していることを特徴とする付記１から６に記載の充電端子付筐体。
（付記８）  充電池と、
前記充電池に充電を行う充電回路が搭載された回路基板と、
前記回路基板の上に実装され、前記充電回路に電源を供給するバネ接点と、
重ね合されると前記充電池と前記回路基板を水密に覆う第１と第２の筐体とを備え、
前記第１と第２の筐体の何れか一方は付記１から７の何れかに記載の充電端子付筐体であり、前記第１と第２の筐体が重ね合された状態で、筺体に埋め込まれた板金の内側が前記バネ接点に接続し、外側が外部に露出することを特徴とする充電端子付筐体を備える電子装置。
【符号の説明】
【００３５】
１    卓上ホルダ
４    充電ピン
１０    電子装置（携帯電話機）
１１    下側筺体
１１ＨＢ    接続端子用の穴
１１ＨＦ    充電端子用の穴
１４    回路基板
３０，３１，３２，３３    板金
３５    取付孔
３６    熱活性テープ
３７    剥離紙
４０    インサート金型
４１    雄金型
４２    雌金型
【図１】
2014192750.tif 000003
【図２】
2014192750.tif 000004
【図３】
2014192750.tif 000005
【図４】
2014192750.tif 000006
【図５】
2014192750.tif 000007
【図６】
2014192750.tif 000008
【図７】
2014192750.tif 000009
【図８】
2014192750.tif 000010